(57)【要約】【課題】本発明は、薬剤注入装置に関するものであって、電池の消耗を抑制し、利便性を高めることを目的とするものである。【解決手段】そして、その目的を達成するために、本発明は、制御部１４に、時計機能部１９（タイマー２１を含む）とメモリ２０を接続し、この制御部１４は、初回温度測定モードとして、前記時計機能部１９からの時刻と前記温度センサ１７によって測定した温度とともにメモリ２０に記憶させるとともに、このメモリ２０に記憶させられた一日の温度情報から最高温度Ｂと最低温度Ａに対応する時刻を抽出し、次回温度測定モードとして、前記最高温度Ｂと前記最低温度Ａのそれぞれに対応する時刻と、それらの時刻の所定時間前の時刻および所定時間後の時刻を、前記温度センサ１７によって温度測定を行なうとともに、その測定時刻と測定温度をメモリ２０に記憶させる構成としたものである。【選択図】図４
2014212875.tif 000002
【特許請求の範囲】
【請求項１】
薬剤シリンジ装着部を有する本体ケースと、この薬剤シリンジ装着部に装着される薬剤シリンジに対して可動自在に設けたピストンと、このピストンを駆動する駆動機構と、この駆動機構に電気的に接続した制御部と、この制御部に電気的に接続した温度センサ、警報部と、各部に電源を供給する電池とを備え、前記制御部に、時計機能部とメモリを接続し、この制御部は、初回温度測定モードとして、前記時計機能からの時刻と前記温度センサによって測定した温度とともにメモリに記憶させるとともに、このメモリに記憶させられた一日の温度情報から最高温度と最低温度に対応する時刻を抽出し、次回温度測定モードとして、前記最高温度と前記最低温度のそれぞれに対応する時刻と、それらの時刻の所定時間前の時刻および所定時間後の時刻を、前記温度センサによって温度測定を行なうとともに、その測定時刻と測定温度をメモリに記憶させる構成とした、薬剤注入装置。
【請求項２】
前記制御部は、次回温度測定モードの次に、通常温度測定モードを実行する構成とし、この通常温度測定モードは、前回の温度測定モード実行時における最高温度に対応する時刻と最低温度に対応する時刻を抽出し、これらの最高温度時刻と最低温度時刻のそれぞれの所定時間前の時刻および所定時間後の時刻を、前記温度センサによって温度測定を行なう測定時刻として、前記メモリに記憶させる構成とした、請求項１に記載の薬剤注入装置。
【発明の詳細な説明】
【技術分野】
【０００１】
本発明は、例えば、インスリンや成長ホルモンなどの薬剤を注入するための、薬剤注入装置に関するものである。
【背景技術】
【０００２】
従来のこの種、薬剤注入装置は、薬剤シリンジ装着部を有する本体ケースと、この薬剤シリンジ装着部に装着される薬剤シリンジに対して可動自在に設けたピストンと、このピストンを駆動する駆動機構と、この駆動機構に電気的に接続した制御部と、この制御部に電気的に接続した温度センサ、警報部と、各部に電源を供給する電池とを備えた構成となっている（例えば、これに関連する先行文献としては、下記特許文献１が存在する）。
【先行技術文献】
【特許文献】
【０００３】
【特許文献１】特表２０１２−５０８０８１号公報
【発明の概要】
【発明が解決しようとする課題】
【０００４】
前記従来例においては、常時、温度センサによって、本体ケース内の温度を検出し、この温度が薬剤の保管に好ましくない温度になると、警報部から警報を発する構成となっている。すなわち、薬剤シリンジ装着部に装着される薬剤シリンジ内の薬剤は、低温や高温によって、その効用が低下する虞があるので、常時、温度センサによって温度を検出するようにしている。
【０００５】
しかしながら、常時、温度センサによって、温度を検出する構成とすると、各部に電源を供給する電池の消耗が大きく、その結果として、薬剤の注入時にピストンの駆動機構を駆動することができない状態となることがある。
【０００６】
すなわち、薬剤を注入しようとするときに、電池を交換しなければ、この薬剤注入ができないこともあり、実使用時において、利便性の低いものとなっていた。
【０００７】
そこで、本発明は、利便性を高めることを目的とするものである。
【課題を解決するための手段】
【０００８】
そして、この目的を達成するために本発明は、薬剤シリンジ装着部を有する本体ケースと、この薬剤シリンジ装着部に装着される薬剤シリンジに対して可動自在に設けたピストンと、このピストンを駆動する駆動機構と、この駆動機構に電気的に接続した制御部と、この制御部に電気的に接続した温度センサ、警報部と、各部に電源を供給する電池とを備え、前記制御部に、時計機能部とメモリを接続し、この制御部は、初回温度測定モードとして、前記時計機能からの時刻と前記温度センサによって測定した温度とともにメモリに記憶させるとともに、このメモリに記憶させられた一日の温度情報から最高温度と最低温度に対応する時刻を抽出し、次回温度測定モードとして、前記最高温度と前記最低温度のそれぞれに対応する時刻と、それらの時刻の所定時間前の時刻および所定時間後の時刻を、前記温度センサによって温度測定を行なうとともに、その測定時刻と測定温度をメモリに記憶させる構成とし、これにより、所期の目的を達成するものである。
【発明の効果】
【０００９】
以上のごとく本発明の薬剤注入装置は、薬剤シリンジ装着部を有する本体ケースと、この薬剤シリンジ装着部に装着される薬剤シリンジに対して可動自在に設けたピストンと、このピストンを駆動する駆動機構と、この駆動機構に電気的に接続した制御部と、この制御部に電気的に接続した温度センサ、警報部と、各部に電源を供給する電池とを備え、前記制御部に、時計機能部とメモリを接続し、この制御部は、初回温度測定モードとして、前記時計機能からの時刻と前記温度センサによって測定した温度とともにメモリに記憶させるとともに、このメモリに記憶させられた一日の温度情報から最高温度と最低温度に対応する時刻を抽出し、次回温度測定モードとして、前記最高温度と前記最低温度のそれぞれに対応する時刻と、それらの時刻の所定時間前の時刻および所定時間後の時刻を、前記温度センサによって温度測定を行なうとともに、その測定時刻と測定温度をメモリに記憶させる構成としたものであるので、利便性を高めることができる。
【００１０】
すなわち、本発明においては、前記制御部に、時計機能部とメモリを接続し、この制御部は、初回温度測定モードとして、前記時計機能からの時刻と前記温度センサによって測定した温度とともにメモリに記憶させるとともに、このメモリに記憶させられた一日の温度情報から最高温度と最低温度に対応する時刻を抽出し、次回温度測定モードとして、前記最高温度と前記最低温度のそれぞれに対応する時刻と、それらの時刻の所定時間前の時刻および所定時間後の時刻を、前記温度センサによって温度測定を行なうとともに、その測定時刻と測定温度をメモリに記憶させる構成としたものであるので、温度センサによる温度測定は、最高温度と前記最低温度のそれぞれに対応する時刻と、それらの時刻の所定時間前の時刻および所定時間後の時刻だけに行なわれることとなる。
【００１１】
したがって、温度測定による電池の消耗が少なく、その結果として、薬剤注入時に、ピストンの駆動機構を駆動することができないという状態をまねくことは少なく、利便性を高めることができるのである。
【００１２】
また、最高温度と最低温度のそれぞれに対応する時刻と、それらの時刻の所定時間前の時刻および所定時間後の時刻に、温度測定を行なうので、前日の状態とは温度環境状態が変わった場合でも、温度を測定し、温度環境を監視した状態とできるので、温度監視に対する信頼性も高いものとなる。
【図面の簡単な説明】
【００１３】
【図１】本発明の実施形態１に係る薬剤注入装置の斜視図
【図２】同薬剤注入装置の斜視図
【図３】同薬剤注入装置の断面図
【図４】同薬剤注入装置の制御ブロック図
【図５】同薬剤注入装置の動作を示すフローチャート
【図６】同薬剤注入装置の動作を示すフローチャート
【図７】同薬剤注入装置の動作を示すフローチャート
【図８】同薬剤注入装置の動作を示すフローチャート
【図９】同薬剤注入装置の動作を示すフローチャート
【図１０】同薬剤注入装置の動作を示すフローチャート
【図１１】同薬剤注入装置の動作を示すフローチャート
【図１２】同薬剤注入装置の動作を示す特性図
【発明を実施するための形態】
【００１４】
以下、本発明の一実施形態  を、添付図面を用いて説明する。
【００１５】
（実施の形態１）
図１〜図３に示すごとく、本実施形態の薬剤注入装置は、筒状の本体ケース１を備えている。そして、その一端側（下端側）には、注射針２が装着されるようになっており、他端側（上端側）には、電源ボタン３と、薬剤注入ボタン４と、表示部５が設けられている。
【００１６】
また、本体ケース１の一端側（下端側）には、カートリッジホルダー６が、図１、図２に示すごとく、開閉自在に設けられており、このカートリッジホルダー６内に、薬剤シリンジ７が装着されるようになっている。すなわち、カートリッジホルダー６は、薬剤シリンジ装着部となっているのである。
【００１７】
そして、このように、カートリッジホルダー６内に薬剤シリンジ７が装着された状態で、薬剤シリンジ７の後方（上方）には、図３に示すごとく、ピストン８が薬剤シリンジに対して可動自在に設けられている。また、このピストン８は、ピストン送りねじ９、歯車１０、モーター１１によって、構成された駆動機構によって、駆動される構成となっている。
【００１８】
なお、図３において、１２は、各部に電源を供給するための電池である。
【００１９】
また、各部の電気的な接続状態は、図４に示す構成となっている。
【００２０】
すなわち、上記駆動機構を構成するモーター１１は、モータードライブ回路１３を介して、制御部１４に接続されている。
【００２１】
また、モータードライブ回路１３には、電流検出回路１５が接続され、この電流検出回路１５も制御部１４に接続されている。つまり、モーター１１を駆動する電流制御を行なうようになっているのである。
【００２２】
また、モーター１１の回転数は、エンコーダ１６によって検出され、制御部１４に伝達される構成となっている。
【００２３】
制御部１４には、上述した電源ボタン３と、薬剤注入ボタン４と、表示部５、及び電池１２も接続されている。なお、この図４には、電池１２は制御部１４にだけ接続された状態としているが、この図４に示す各部に電源を供給する構成となっている。
【００２４】
本実施形態においては、制御部１４には、それ以外に、本体ケース１内において、特に、薬剤シリンジ７部分の温度を測定する温度センサ１７が接続されている。
【００２５】
さらに、この制御部１４には、警報部としてのブザー１８も接続されている。
【００２６】
さらにまた、制御部１４には、時計機能部１９とメモリ２０とタイマー２１も接続されており、このうち、時計機能部１９とタイマー２１には、時計用電池２２が接続されている。
【００２７】
以上のような構成において、薬剤シリンジ７をカートリッジホルダー６内に収納させ、図２、図３のように、カートリッジホルダー６を閉じた状態とし、電源ボタン３と薬剤注入ボタン４を押すと、初回起動状態となる（図５のＳ１、Ｓ２）。
【００２８】
初回起動状態（図５のＳ２）では、図６のＳ１〜Ｓ２に示すごとく、薬剤投与が行なわれる。具体的には、モーター１１が、起動され、ピストン８で、薬剤シリンジ７内の薬剤が、注射針２から人体に押出され、これにより、薬剤注入が行なわれ、薬剤投与が完了することになる（図６のＳ３）。
【００２９】
なお、薬剤の注入量は、エンコーダ１６によって、モーター１１の回転数を検出することで、管理されるようになっている。
【００３０】
そして、この薬剤投与が完了すると、次に、初回温度測定モードの一部である温度測定が実行される（図６のＳ４）。
【００３１】
具体的には、温度センサ１７によって、薬剤シリンジ７の周囲の温度が測定され（図７のＳ１、Ｓ２）、その温度と時刻がメモリ２０に書き込まれる（図７のＳ３）。図１２の（ａ）は、メモリ２０に書き込まれたデータをグラフとしてあらわしたものであり、温度は時刻ごとに刻々と変化するが、この一点が、記録された状態となる。
【００３２】
後述するように、この図１２（ａ）から、最低温度Ａと最高温度Ｂの値およびその最低温度Ａと最高温度Ｂが表れた時刻が求められる。
【００３３】
図７に戻って、説明を続けると、メモリ２０に記録された温度が、例えば、０度よりも低いか、３５度よりも高い状態のときには、表示部５に、保管場所が不適切なので、使用を中止する警告表示を行なったり、ブザー１８で使用を中止する警告を発したりする（図７のＳ４、Ｓ５）。
【００３４】
また、温度センサ１７によって、検出した温度が、上述した警告温度に到達していない場合でも、例えば、４℃よりも低い場合か、２８℃よりも高い場合には、表示部５に保管場所を変更するように通知表示をさせたり、ブザー１８で保管場所を変更する報知をさせたりする（図７のＳ６、Ｓ７）。
【００３５】
そして、このようにして、初回の温度測定が終了する（図７のＳ８）。
【００３６】
すると、次には、制御部１４は、メモリ２０に、温度測定のための割り込み時刻を、１、２、３、４、５、６、７、８、９、１０、１１、１２、１３、１４、１５、１６、１７、１８、１９、２０、２１、２２、２３、２４時と設定し（図６のＳ５）、次に、現在時刻との関係から、次回温度測定をするための割り込み時刻を設定し、電源をオフの状態とする（図６のＳ６、Ｓ７）。
【００３７】
以上で、図５における初回起動動作（図５のＳ２）が完了したので、次には、この図５の初日保管動作（図５のＳ３）が実行される。
【００３８】
この初日保管動作は、図８のごとく、電源オフ（図８のＳ１）の次に、間欠測定（図８のＳ２）が実行される。この間欠測定は、図９の電源オフ（図９のＳ１）の状態から、タイマー２１によって、次の温度測定時刻までの時間を測定し（図９のＳ２）、図６のＳ６で設定した割り込み時刻になると、タイマー２１から割り込み信号が発せられ、電源がオン状態となり、温度測定が実行される（図９のＳ３、Ｓ４、Ｓ５、Ｓ６）。
【００３９】
温度測定は、図７で説明した順序によって行なわれ、そのときの測定温度は、時刻とともに、メモリ２０に記録される。次に、この状態を、２４時間継続させることになる。
【００４０】
つまり、２４時間経過していなときには、メモリ２０から次回の割り込み時刻を読み取り、タイマー２１に、次回の割り込み時刻を設定し、電源オフの状態とする（図９のＳ７、Ｓ８、Ｓ９、Ｓ１０）。
【００４１】
そして、２４時間経過するまでは、この図９のＳ２からＳ１０が継続され、２４時間経過すると、終了となる（図９のＳ１１）。
【００４２】
すると、図８における間欠測定（図８のＳ２）が、終了したので、メモリ２０へ、最低温度（図１２のＡ）とその時刻と最高温度（図１２のＢ）とその時刻が保存される（図８のＳ３）。
【００４３】
次に、この図８のＳ４である測定間隔設定が実行される。
【００４４】
この測定間隔設定は、具体的には、まず、メモリ２０には、最低温度（図１２のＡ）とその時刻と最高温度（図１２のＢ）とその時刻が保存されているので、この情報を確認する。
【００４５】
続いて、図１２（ａ）から理解されるように、最低温度（図１２のＡ）が表れた時刻の３０分前と３０分後、及び最高温度（図１２のＢ）が表れた時刻の３０分前と３０分後を測定時刻として、メモリ２０に保存する。
【００４６】
そして、メモリ２０から、上述の温度測定時刻を読み出し、現在の時刻と比較し、次の温度測定時刻をタイマー２１に書き込み、初日の保管動作が終了する（図８のＳ５、Ｓ６、Ｓ７）。
【００４７】
すると、次には、図５の通常保管動作（図５のＳ４）が実行される。
【００４８】
この通常保管動作は、図１０のごとく、実行される。
【００４９】
まず、電源オフ（図１０のＳ１）の状態から、図９に示した間欠測定が実行される（図１０のＳ２）。
【００５０】
そして、図９の間欠測定を実行することで、メモリ２０へ、最低温度とその時刻、および最高温度とその時刻が記録される（図１０のＳ３）。
【００５１】
次に、前日の最低温度時刻と本日の最低温度時刻の比較、および前日の最高温度時刻と本日の最高温度時刻を比較し（図１０のＳ４）、この比較により、時刻が変化していなければ、メモリ２０より、次回の割り込み時刻を読み出し、タイマー２１に測定時刻として設定し、電源オフの状態とする（図１０のＳ５、Ｓ６、Ｓ７、Ｓ８）。
【００５２】
これに対して、前日の最低温度時刻と本日の最低温度時刻の比較、および前日の最高温度時刻と本日の最高温度時刻の少なくとも一方が変化しておれば、測定間隔修正（図１０のＳ９）が実行される。
【００５３】
測定間隔修正は、図１１のごとく、前日の最低温度時刻と本日の最低温度時刻の比較、および前日の最高温度時刻と本日の最高温度時刻の少なくとも一方が変化しておれば（図１１のＳ１）、変化した本日の最低温度時刻または最高温度時刻の前後３０分に温度測定時刻を設定した状態とする（図１１のＳ２）。
【００５４】
例えば、図１２（ａ）は、前日の最低温度時刻と最高温度時刻を示したものであるので、測定時刻は、Ａから３０分前、Ａ、Ａから３０分後および、Ｂから３０分前、Ｂ、Ｂから３０分後の６点が、温度測定時刻となっているが、本日の測定によれば、図１２（ｂ）のごとく、前日のＡよりも、３０分前が、最低温度時刻（Ａ１）となっており、また前日のＢよりも、３０分前が、最高温度時刻（Ｂ１）となっているので、明日は、前記最低温度時刻（Ａ１）とそれよりも３０分前および３０分後、最高温度時刻（Ｂ１）とそれよりも３０分前および３０分後の６点が温度測定時刻となり、この時刻をメモリ２０に記録する。
【００５５】
そして、この時刻に基づいて、メモリ２０より、次回の割り込み時刻を読み出し、タイマー２１に測定時刻として設定し、電源オフの状態とする（図１０のＳ５、Ｓ６、Ｓ７、Ｓ８）。
【００５６】
そして、このような通常保管動作が、連日実行されている状態で、電源ボタン３および、薬剤注入ボタン４がオン状態となると、上述したピストン８の駆動による薬剤注入が行なわれる（図５のＳ５、Ｓ６）。
【００５７】
以上のごとく本実子形態の薬剤注入装置は、制御部１４に、時計機能部１９（タイマー２１を含む）とメモリ２０を接続し、この制御部１４は、初回温度測定モードとして、前記時計機能部１９からの時刻と前記温度センサ１７によって測定した温度とともにメモリ２０に記憶させるとともに、このメモリ２０に記憶させられた一日の温度情報から最高温度Ｂと最低温度Ａに対応する時刻を抽出し、次回温度測定モードとして、前記最高温度Ｂと前記最低温度Ａのそれぞれに対応する時刻と、それらの時刻の所定時間前の時刻および所定時間後の時刻を、前記温度センサ１７によって温度測定を行なうとともに、その測定時刻と測定温度をメモリ２０に記憶させる構成としたものであるので、温度センサ１７による温度測定は、最高温度と前記最低温度のそれぞれに対応する時刻と、それらの時刻の所定時間前の時刻および所定時間後の時刻だけに行なわれることとなる。
【００５８】
したがって、温度測定による電池１２の消耗が少なく、その結果として、薬剤注入時に、ピストン８の駆動機構を駆動することができないという状態をまねくことは少なく、利便性を高めることができるのである。
【００５９】
また、最高温度Ｂと最低温度Ａのそれぞれに対応する時刻と、それらの時刻の所定時間前の時刻および所定時間後の時刻に、温度測定を行なうので、前日の状態とは温度環境状態が変わった場合でも、温度を測定し、温度環境を監視した状態とできるので、温度監視に対する信頼性も高いものとなる。
【００６０】
また、その後の温度測定により、最高温度時刻や最低温度時刻が変化した場合には、それにあわせて、温度測定をする時刻を変更するので、この温度測定に対する信頼性の高いものとなる。
【産業上の利用可能性】
【００６１】
以上のごとく本発明の薬剤注入装置は、制御部に、時計機能部とメモリを接続し、この制御部は、初回温度測定モードとして、前記時計機能からの時刻と前記温度センサによって測定した温度とともにメモリに記憶させるとともに、このメモリに記憶させられた一日の温度情報から最高温度と最低温度に対応する時刻を抽出し、次回温度測定モードとして、前記最高温度と前記最低温度のそれぞれに対応する時刻と、それらの時刻の所定時間前の時刻および所定時間後の時刻を、前記温度センサによって温度測定を行なうとともに、その測定時刻と測定温度をメモリに記憶させる構成としたものであるので、温度センサによる温度測定は、最高温度と前記最低温度のそれぞれに対応する時刻と、それらの時刻の所定時間前の時刻および所定時間後の時刻だけに行なわれることとなる。
【００６２】
したがって、温度測定による電池の消耗が少なく、その結果として、薬剤注入時に、ピストンの駆動機構を駆動することができないという状態をまねくことは少なく、利便性を高めることができるのである。
【００６３】
また、最高温度と最低温度のそれぞれに対応する時刻と、それらの時刻の所定時間前の時刻および所定時間後の時刻に、温度測定を行なうので、前日の状態とは温度環境状態が変わった場合でも、温度を測定し、温度環境を監視した状態とできるので、温度監視に対する信頼性も高いものとなる。
【００６４】
したがって、各種薬剤を注入する薬剤注入装置に、広く普及が期待されるものである。
【符号の説明】
【００６５】
１  本体ケース
２  注射針
３  電源ボタン
４  薬剤注入ボタン
５  表示部
６  カートリッジホルダー
７  薬剤シリンジ
８  ピストン
９  ピストン送りねじ
１０  歯車
１１  モーター
１２  電池
１３  モータードライブ回路
１４  制御部
１５  電流検出回路
１６  エンコーダ
１７  温度センサ
１８  ブザー
１９  時計機能部
２０  メモリ
２１  タイマー
２２  時計用電池
【図１】
2014212875.tif 000003
【図２】
2014212875.tif 000004
【図３】
2014212875.tif 000005
【図４】
2014212875.tif 000006
【図５】
2014212875.tif 000007
【図６】
2014212875.tif 000008
【図７】
2014212875.tif 000009
【図８】
2014212875.tif 000010
【図９】
2014212875.tif 000011
【図１０】
2014212875.tif 000012
【図１１】
2014212875.tif 000013
【図１２】
2014212875.tif 000014